(57)【特許請求の範囲】
【請求項１】
活性炭素繊維から形成されたシートを一方向へジグザグに折り畳んだ放射性有機ヨウ素除去フィルタと、空気流入口および空気流出口を有して前記放射性有機ヨウ素除去フィルタを収容する第１フィルタケースと、前記第１フィルタケースに空気を強制的に流入させる送風機とを備え、前記空気に含まれる放射性有機ヨウ素を除去する放射性有機ヨウ素除去装置において、
前記放射性有機ヨウ素を吸着するアミン類が、前記活性炭素繊維に添着され、前記放射性有機ヨウ素除去フィルタにおける面速が、１０〜２５ｃｍ／ｓｅｃの範囲にあり、前記面速における放射性有機ヨウ素除去フィルタの圧力損失が、１００〜３００Ｐａの範囲にあり、前記空気の湿度９５％における前記放射性有機ヨウ素除去フィルタの放射性有機ヨウ素除去効率が、９５％以上であることを特徴とする放射性有機ヨウ素除去装置。
【請求項２】
前記第１フィルタケースが、前記一方向へ並行して延びる一対の第１外枠部材と、前記一方向と交差する方向へ並行して延びる一対の第２外枠部材とから形成され、前記第１フィルタケースの空気流出口の側には、前記第１および第２外枠部材の少なくとも一方に跨って前記放射性有機ヨウ素除去フィルタの変形を防止する第１補強部材が取り付けられている請求項１に記載の放射性有機ヨウ素除去装置。
【請求項３】
ジグザグに折り畳まれた前記シートの互いに対向する対向部の間であって前記第１外枠部材の少なくとも中央部には、前記第１フィルタケースの空気流入口の側に位置する前記シートの第１折曲部の内側から前記第１補強部材に向かって延びる第２補強部材が取り付けられている請求項２に記載の放射性有機ヨウ素除去装置。
【請求項４】
前記放射性有機ヨウ素除去装置が、前記空気に含まれる塵埃を除去する多風量のＨＥＰＡフィルタと、空気流入口および空気流出口を有して前記ＨＥＰＡフィルタを収容する第２フィルタケースとを含み、前記ＨＥＰＡフィルタが、前記放射性有機ヨウ素除去フィルタの上流側と下流側との少なくとも一方に配置され、前記送風機が、前記第１および第２フィルタケースの空気流入口に前記空気を強制的に流入させる請求項１ないし請求項３いずれかに記載の放射性有機ヨウ素除去装置。
【請求項５】
前記放射性有機ヨウ素除去装置では、前記ＨＥＰＡフィルタが前記放射性有機ヨウ素除去フィルタの上下方向上方と上下方向下方とのうちの少なくとも一方に配置され、前記空気が上下方向へ延びる空気流路を通って前記上下方向下方に位置するフィルタから前記上下方向上方に位置するフィルタに向かってそれらフィルタを順に通流する請求項４に記載の放射性有機ヨウ素除去装置。
【請求項６】
前記空気流路には、前記上下方向下方に位置するフィルタから前記上下方向上方に位置するフィルタの全域へ前記空気を導くための上下方向へ延びる案内板が設置されている請求項５に記載の放射性有機ヨウ素除去装置。
【請求項７】
前記放射性有機ヨウ素除去フィルタの上流側には、前記空気を所定温度に加熱する加熱器が配置されている請求項１ないし請求項６いずれかに記載の放射性有機ヨウ素除去装置。
【請求項８】
前記アミン類が、トリエチレンジアミンＣ６Ｈ１２Ｎ２であり、前記活性炭素繊維の単位重量に対する前記トリエチレンジアミンＣ６Ｈ１２Ｎ２の添着量が、１０〜２０重量％の範囲にある請求項１ないし請求項７いずれかに記載の放射性有機ヨウ素除去装置。
【請求項９】
前記活性炭素繊維の平均繊維径が、１０〜１８μｍの範囲にあり、前記シートの目付が、１００〜３５０ｇ／ｍ２の範囲、前記シートのみかけの嵩密度が、０．０３〜０．１３ｇ／ｃｍ３の範囲にある請求項１ないし請求項８いずれかに記載の放射性有機ヨウ素除去装置。
【請求項１０】
前記シートの厚み寸法が、２〜４ｍｍの範囲にある請求項１ないし請求項９いずれかに記載の放射性有機ヨウ素除去装置。
【請求項１１】
前記放射性有機ヨウ素除去フィルタが、１枚の前記シートから作られ、そのシートの一方向への折り曲げ回数が、前記放射性ヨウ素除去フィルタの一方向の長さ１００ｍｍに対して１６〜１８回の範囲にある請求項１ないし請求項１０いずれかに記載の放射性有機ヨウ素除去装置。
【請求項１２】
前記放射性有機ヨウ素除去フィルタが、厚み方向へ重ね合わせた２枚の前記シートから作られ、前記２枚のシートの一方向への折り曲げ回数が、前記放射性ヨウ素除去フィルタの一方向の長さ１００ｍｍに対して８〜９回の範囲にある請求項１ないし請求項１０いずれかに記載の放射性有機ヨウ素除去装置。
【請求項１３】
前記シートが、繊維不織布、織物、編み物のうちのいずれかの形態を有する請求項１ないし請求項１２いずれかに記載の放射性有機ヨウ素除去装置。
【請求項１４】
前記シートの全体が、撥水性繊維不織布または疎水性繊維不織布に包被されている請求項１ないし請求項１３いずれかに記載の放射性有機ヨウ素除去装置。
【発明の詳細な説明】
【技術分野】
【０００１】
本発明は、空気中に含まれる放射性有機ヨウ素を除去する放射性有機ヨウ素除去装置に関する。
【背景技術】
【０００２】
細孔直径３〜３０ｎｍの細孔容積が０．１５ｃｃ／ｇ以下であって、細孔直径３ｎｍ未満の細孔容積が０．５０ｃｃ／ｇ以上の細孔形状を有する活性炭素繊維シートに有機吸着に有効なアミンを添着し、このシートの一方に保護シートを積層した放射性物質除去フィルタがある（特許文献１参照）。
【０００３】
また、活性炭素繊維を主材料とした２層以上の積層シートから形成され、積層シートの１層以上が編地状の活性炭素繊維シートであり、その積層シートの透過速度係数が０．０２〜０．２ｃｍ／ｓ／Ｐａの範囲にある放射性物質除去フィルタがある（特許文献２参照）。積層シートの透過速度係数は、一定の圧力損失の下における空気の風速を示す。
【０００４】
前記特許文献１や前記特許文献２に開示の放射性物質除去フィルタは、原子力関連施設や放射線発生装置を利用する医療機関において空気中の放射性物質の除去に利用される。それら放射性物質除去フィルタは、一方向へ起伏を繰り返すようにジグザグに折り畳まれた状態でフィルタケースに収容され、フィルタケースを介して放射性物質除去装置に着脱可能に設置される。放射性物質除去装置では、送風機によって空気を強制的にフィルタケースに流入させ、放射性物質除去フィルタを介して空気を清浄し、その空気を装置外に排気する。
【先行技術文献】
【特許文献】
【０００５】
【特許文献１】特開２００４−２０５４９０号公報
【特許文献２】特開２００６−１１２８２０号公報
【発明の概要】
【発明が解決しようとする課題】
【０００６】
前記特許文献１に開示の放射性物質除去フィルタは、それの面速を速くすると、放射性物質の除去性能が低下し、放射性物質を確実に除去することができない場合がある。逆に面速を遅くすると、単位時間当たりの空気の清浄処理量が低下する。したがって、このフィルタは、放射性物質の確実な除去と空気の清浄処理量の向上とを両立させることが難しい。
【０００７】
前記特許文献２に開示の放射性物質除去フィルタは、それを形成する積層シートの透過速度係数が０．０２〜０．２ｃｍ／ｓ／Ｐａの範囲にあり、フィルタにおける面速が速いものの、放射性物質の除去効率が明らかではなく、放射性物質がフィルタに捕集されず、放射性物質を確実に除去することができない場合がある。
【０００８】
本発明の目的は、単位時間当たりの空気の清浄処理量を多くすることができるとともに、空気中の放射性ヨウ素を確実に捕集かつ除去することができる放射性ヨウ素除去装置を提供することにある。
【課題を解決するための手段】
【０００９】
前記課題を解決するための本発明の前提は、活性炭素繊維から形成されたシートを一方向へジグザグに折り畳んだ放射性有機ヨウ素除去フィルタと、空気流入口および空気流出口を有して放射性有機ヨウ素除去フィルタを収容する第１フィルタケースと、第１フィルタケースに空気を強制的に流入させる送風機とを備え、空気に含まれる放射性有機ヨウ素を除去する放射性有機ヨウ素除去装置である。
【００１０】
前記前提における本発明の特徴としては、放射性有機ヨウ素を吸着するアミン類が活性炭素繊維に添着され、放射性有機ヨウ素除去フィルタにおける面速が１０〜２５ｃｍ／ｓｅｃの範囲にあり、面速における放射性有機ヨウ素除去フィルタの圧力損失が１００〜３００Ｐａの範囲にあり、空気の湿度９５％における放射性有機ヨウ素除去フィルタの放射性有機ヨウ素除去効率が、９５％以上であることにある。
【００１１】
本発明の一例としては、第１フィルタケースが、一方向へ並行して延びる一対の第１外枠部材と、一方向と交差する方向へ並行して延びる一対の第２外枠部材とから形成され、第１フィルタケースの空気流出口の側には、第１および第２外枠部材の少なくとも一方に跨って放射性有機ヨウ素除去フィルタの変形を防止する第１補強部材が取り付けられている。
【００１２】
本発明の他の一例として、ジグザグに折り畳まれたシートの互いに対向する対向部の間であって第１外枠部材の少なくとも中央部には、第１フィルタケースの空気流入口の側に位置するシートの第１折曲部の内側から第１補強部材に向かって延びる第２補強部材が取り付けられている。
【００１３】
本発明の他の一例としては、放射性有機ヨウ素除去装置が、空気に含まれる塵埃を除去する多風量のＨＥＰＡフィルタと、空気流入口および空気流出口を有してＨＥＰＡフィルタを収容する第２フィルタケースとを含み、そのＨＥＰＡフィルタが放射性有機ヨウ素除去フィルタの上流側と下流側との少なくとも一方に配置され、送風機が第１および第２フィルタケースの空気流入口に空気を強制的に流入させる。
【００１４】
本発明の他の一例として放射性有機ヨウ素除去装置では、ＨＥＰＡフィルタが放射性有機ヨウ素除去フィルタの上下方向上方と上下方向下方とのうちの少なくとも一方に配置され、空気が上下方向へ延びる空気流路を通って上下方向下方に位置するフィルタから上下方向上方に位置するフィルタに向かってそれらフィルタを順に通流する。
【００１５】
本発明の他の一例として空気流路には、上下方向下方に位置するフィルタから上下方向上方に位置するフィルタの全域へ空気を導くための上下方向へ延びる案内板が設置されている。
【００１６】
本発明の他の一例として放射性有機ヨウ素除去フィルタの上流側には、空気を所定温度に加熱する加熱器が配置されている。
【００１７】
本発明の他の一例としては、アミン類がトリエチレンジアミンＣ６Ｈ１２Ｎ２であり、活性炭素繊維の単位重量に対するトリエチレンジアミンＣ６Ｈ１２Ｎ２の添着量が１０〜２０重量％の範囲にある。
【００１８】
本発明の他の一例としては、活性炭素繊維の平均繊維径が１０〜１８μｍの範囲にあり、シートの目付が１００〜３５０ｇ／ｍ２の範囲、シートのみかけの嵩密度が０．０３〜０．１３ｇ／ｃｍ３の範囲にある。
【００１９】
本発明の他の一例としては、シートの厚み寸法が２〜４ｍｍの範囲にある。
【００２０】
本発明の他の一例としては、放射性有機ヨウ素除去フィルタが１枚のシートから作られ、そのシートの一方向への折り曲げ回数が放射性ヨウ素除去フィルタの一方向の長さ１００ｍｍに対して１６〜１８回の範囲にある。
【００２１】
本発明の他の一例としては、放射性有機ヨウ素除去フィルタが厚み方向へ重ね合わせた２枚の前記シートから作られ、２枚のシートの一方向への折り曲げ回数が放射性ヨウ素除去フィルタの一方向の長さ１００ｍｍに対して８〜９回の範囲にある。
【００２２】
本発明の他の一例としては、シートが繊維不織布、織物、編み物のうちのいずれかの形態を有する。
【００２３】
本発明の他の一例としては、シートの全体が撥水性繊維不織布または疎水性繊維不織布に包被されている。
【発明の効果】
【００２４】
本発明にかかる放射性有機ヨウ素除去装置によれば、放射性有機ヨウ素を吸着するアミン類が活性炭素繊維に添着されており、放射性有機ヨウ素除去フィルタの面速が１０〜２５ｃｍ／ｓｅｃの範囲、面速１０〜２５ｃｍ／ｓｅｃにおける放射性有機ヨウ素除去フィルタの圧力損失が１００〜３００Ｐａの範囲にあり、空気の湿度９５％におけるフィルタの放射性有機ヨウ素除去効率が９５％以上であるから、空気の高湿度環境下において優れた放射性有機ヨウ素除去性能を発揮するとともに、所定の面速に対するフィルタの圧力損失が低く、フィルタにおける空気の通過速度が速くかつフィルタを通過する空気の流量が多いから、装置における単位時間当たりの空気の清浄処理量を多くすることができるのみならず、空気に含まれる放射性有機ヨウ素を確実に捕集かつ除去することができ、放射性有機ヨウ素を除去した清浄な空気を作ることができる。放射性有機ヨウ素除去装置は、放射性有機ヨウ素除去フィルタを通過する空気の通過速度が速く、フィルタを通過する空気の流量が多いにもかかわらず、９５％以上の放射性有機ヨウ素除去効率を有しており、空気に含まれる放射性有機ヨウ素を確実に捕集かつ除去することができる。この放射性有機ヨウ素除去装置は、放射性有機ヨウ素が発生するおそれがある原子力関連施設や医療施設に使用することで、それら施設から発生する放射性有機ヨウ素を確実に除去することができ、それら施設の安全性を確保することができる。
【００２５】
第１フィルタケースが一対の第１外枠部材と一対の第２外枠部材とから形成され、第１および第２外枠部材の少なくとも一方に跨って放射性有機ヨウ素除去フィルタの変形を防止する第１補強部材が第１フィルタケースの空気流出口の側に取り付けられた放射性有機ヨウ素除去装置は、第１フィルタケースの空気流入口に単位時間当たりに多量の空気を流入させたとしても、第１補強部材によって放射性有機ヨウ素除去フィルタの変形が防止されるから、フィルタが変形することによるフィルタの放射性有機ヨウ素除去性能の低下を防ぐことができる。この放射性有機ヨウ素除去装置は、放射性有機ヨウ素除去フィルタを通過する空気の通過速度が速くかつフィルタを通過する空気の流量が多く、装置における単位時間当たりの空気の清浄処理量を多くすることができるのみならず、９５％以上の放射性有機ヨウ素除去効率を有しており、空気に含まれる放射性ヨウ素を確実に捕集かつ除去することができる。
【００２６】
第１フィルタケースの空気流入口の側に位置するシートの第１折曲部の内側から第１補強部材に向かって延びる第２補強部材がシートの互いに対向する対向部の間であって第１外枠部材の少なくとも中央部に取り付けられた放射性有機ヨウ素除去装置は、第１フィルタケースの空気流入口に単位時間当たりに多量の空気を流入させたとしても、第２補強部材によって放射性有機ヨウ素除去フィルタの変形が防止されるから、フィルタが変形することによるフィルタの放射性有機ヨウ素除去性能の低下を防ぐことができる。この放射性有機ヨウ素除去装置は、放射性有機ヨウ素除去フィルタを通過する空気の通過速度が速くかつフィルタを通過する空気の流量が多く、装置における単位時間当たりの空気の清浄処理量を多くすることができるのみならず、９５％以上の放射性有機ヨウ素除去効率を有しており、空気に含まれる放射性ヨウ素を確実に捕集かつ除去することができる。
【００２７】
放射性有機ヨウ素除去装置は、放射性有機ヨウ素除去フィルタを収容した第１フィルタケースの空気流入口の面積が確定してその面積の変更がない場合、空気流入口に流入させる空気の風量により、ジグザグに折り畳まれたシートの空気流入口の側に位置する第１折曲部から空気流出口の側に位置する第２折曲部までの寸法が決まるから、第１フィルタケースの空気流入口の面積を一定に維持しつつ、その空気流入口から流入させる空気の風量によってシートの第１折曲部から第２折曲部までの寸法を決めることができ、空気流入口の面積を規格のそれに維持しつつ、その規格内において放射性有機ヨウ素除去フィルタにおける風量を自由に選択することができ、単位時間当たりの空気の清浄処理量を自由に決めることができる。
【００２８】
ＨＥＰＡフィルタが放射性有機ヨウ素除去フィルタの上流側と下流側との少なくとも一方に配置された放射性有機ヨウ素除去装置は、空気に含まれる塵埃を除去する多風量のＨＥＰＡフィルタが放射性有機ヨウ素除去フィルタの上流側に配置された場合、ＨＥＰＡフィルタによって空気中の塵埃が除去されるから、塵埃が放射性有機ヨウ素除去フィルタに達することはなく、塵埃が放射性有機ヨウ素除去フィルタに堆積することによるフィルタの放射性有機ヨウ素除去性能の低下を防ぐことができる。この放射性有機ヨウ素除去装置は、空気中の塵埃を除去することができるとともに、空気に含まれる放射性有機ヨウ素を確実に捕集かつ除去することができ、塵埃や放射性有機ヨウ素を除去した清浄な空気を作ることができる。空気に含まれる塵埃を除去する多風量のＨＥＰＡフィルタが放射性有機ヨウ素除去フィルタの下流側に配置された場合、放射性有機ヨウ素除去フィルタから塵埃が放出されたとしても、その塵埃がＨＥＰＡフィルタによって除去されるから、放射性有機ヨウ素除去フィルタから放出された塵埃を確実に除去することができる。この放射性有機ヨウ素除去装置は、空気に含まれる放射性有機ヨウ素を確実に捕集かつ除去することができるとともに、放射性有機ヨウ素除去フィルタから放出された塵埃を除去することができ、塵埃や放射性有機ヨウ素を除去した清浄な空気を作ることができる。放射性有機ヨウ素除去装置は、ＨＥＰＡフィルタが多風量のそれであるから、ＨＥＰＡフィルタによって放射性有機ヨウ素除去フィルタの面速が低下することはなく、フィルタにおける空気の通過速度を速くすることができ、単位時間当たりの空気の清浄処理量を多くすることができる。放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００２９】
ＨＥＰＡフィルタが放射性有機ヨウ素除去フィルタの上下方向上方と上下方向下方とのうちの少なくとも一方に配置され、空気が上下方向下方に位置するフィルタから上下方向上方に位置するフィルタに向かってそれらフィルタを順に通流する放射性有機ヨウ素除去装置は、空気に含まれる塵埃を除去する多風量のＨＥＰＡフィルタが放射性有機ヨウ素除去フィルタの上下方向下方に配置された場合、ＨＥＰＡフィルタによって空気中の塵埃が除去されるから、塵埃が放射性有機ヨウ素除去フィルタに達することはなく、塵埃が放射性有機ヨウ素除去フィルタに堆積することによるフィルタの放射性有機ヨウ素除去性能の低下を防ぐことができる。この放射性有機ヨウ素除去装置は、空気中の塵埃を除去することができるとともに、空気に含まれる放射性有機ヨウ素を確実に捕集かつ除去することができ、塵埃や放射性有機ヨウ素を除去した清浄な空気を作ることができる。空気に含まれる塵埃を除去する多風量のＨＥＰＡフィルタが放射性有機ヨウ素除去フィルタの上下方向上方に配置された場合、放射性有機ヨウ素除去フィルタから塵埃が放出されたとしても、その塵埃がＨＥＰＡフィルタによって除去されるから、放射性有機ヨウ素除去フィルタから放出された塵埃を確実に除去することができる。この放射性有機ヨウ素除去装置は、空気に含まれる放射性有機ヨウ素を確実に捕集かつ除去することができるとともに、放射性有機ヨウ素除去フィルタから放出された塵埃を除去することができ、放射性有機ヨウ素や塵埃を除去した清浄な空気を作ることができる。放射性有機ヨウ素除去装置は、ＨＥＰＡフィルタが多風量のそれであるから、ＨＥＰＡフィルタによって放射性有機ヨウ素除去フィルタの面速が低下することはなく、フィルタにおける空気の通過速度を速くすることができ、単位時間当たりの空気の清浄処理量を多くすることができる。放射性有機ヨウ素除去装置は、放射性有機ヨウ素除去フィルタとＨＥＰＡフィルタとが上下方向へ並ぶから、それらフィルタを前後方向へ並べる場合と比較し、装置の前後方向の寸法を小さくすることができ、装置をコンパクト化することができる。放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００３０】
上下方向下方に位置するフィルタから上下方向上方に位置するフィルタの全域へ空気を導くための上下方向へ延びる案内板が空気流路に設置された放射性有機ヨウ素除去装置は、空気が上下方向上方に位置するフィルタへ偏って流入することはなく、フィルタの全域を空気の清浄に利用することができ、空気を単位時間内に効率よく清浄することができる。
【００３１】
空気を所定温度の加熱する加熱器が放射性有機ヨウ素除去フィルタの上流側に配置された放射性有機ヨウ素除去装置は、加熱器によって空気を所定温度に加熱することで空気に含まれる湿気が蒸発するから、空気に湿気が含まれていることによる放射性有機ヨウ素除去フィルタの放射性有機ヨウ素除去効率の低下を防ぐことができる。この放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、９５％以上の放射性有機ヨウ素除去効率を維持することができ、空気に含まれる放射性ヨウ素を確実に捕集かつ除去することができる。
【００３２】
アミン類がトリエチレンジアミンＣ６Ｈ１２Ｎ２であり、活性炭素繊維の単位重量に対するトリエチレンジアミンＣ６Ｈ１２Ｎ２の添着量が１０〜２０重量％の範囲にある放射性有機ヨウ素除去装置は、アミン類のうち、放射性有機ヨウ素の高い吸着機能を有するトリエチレンジアミンＣ６Ｈ１２Ｎ２を利用することで、放射性有機ヨウ素がそのトリエチレンジアミンＣ６Ｈ１２Ｎ２に瞬時に吸着されるから、空気に含まれる放射性有機ヨウ素を確実に捕集かつ除去することができる。この放射性有機ヨウ素除去装置は、一度吸着した放射性有機ヨウ素をトリエチレンジアミンＣ６Ｈ１２Ｎ２が放出することはなく、捕集された放射性有機ヨウ素の装置からの再飛散を確実に防ぐことができる。
【００３３】
活性炭素繊維の平均繊維径が１０〜１８μｍの範囲、シートの目付が１００〜３５０ｇ／ｍ２の範囲、シートのみかけの嵩密度が０．０３〜０．１３ｇ／ｃｍ３の範囲にある放射性有機ヨウ素除去装置は、シートを一方向へジグザグに折り畳んだ放射性有機ヨウ素除去フィルタの全体寸法をコンパクトにすることができるとともに、単位体積当たりのフィルタの重量を少なくすることができ、それにともなって装置自体をコンパクトにすることができる。この放射性有機ヨウ素除去装置は、それをコンパクトにすることができるにもかかわらず、単位時間当たりの空気の清浄処理量を多くすることができ、かつ、空気に含まれる放射性有機ヨウ素を確実に捕集かつ除去することができる。
【００３４】
シートの厚み寸法が２〜４ｍｍの範囲にある放射性有機ヨウ素除去装置は、シートを一方向へジグザグに折り畳んだ放射性有機ヨウ素除去フィルタの全体寸法をコンパクトにすることができるとともに、単位体積当たりのフィルタの重量を少なくすることができ、それにともなって装置自体をコンパクトにすることができる。この放射性有機ヨウ素除去フィルタは、それをコンパクトにすることができるにもかかわらず、単位時間当たりの空気の清浄処理量を多くすることができ、かつ、空気に含まれる放射性有機ヨウ素を確実に捕集かつ除去することができる。
【００３５】
放射性有機ヨウ素除去フィルタが１枚のシートから作られ、そのシートの一方向への折り曲げ回数がフィルタの一方向の長さ１００ｍｍに対して１６〜１８回の範囲にある放射性有機ヨウ素除去装置は、折り曲げ回数が前記範囲にあることで、放射性有機ヨウ素除去フィルタにおける面速を速くすることができ、装置における単位時間当たりの空気の清浄処理量を多くすることができるとともに、フィルタの比表面積を確保することができ、装置における放射性有機ヨウ素の高い捕集性能を維持することができる。この放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００３６】
放射性有機ヨウ素除去フィルタが厚み方向へ重ね合わせた２枚のシートから作られ、２枚のシートの一方向への折り曲げ回数がフィルタの一方向の長さ１００ｍｍに対して８〜９回の範囲にある放射性有機ヨウ素除去装置は、放射性有機ヨウ素除去フィルタが１枚のシートから作られている場合と比較し、フィルタにおける比表面積が大きくなるから、放射性有機ヨウ素の捕集性能を高くすることができる。放射性有機ヨウ素除去装置は、折り曲げ回数が前記範囲にあることで、放射性有機ヨウ素除去フィルタにおける面速を速くすることができ、装置における単位時間当たりの空気の清浄処理量を多くすることができるとともに、フィルタの比表面積を確保することができ、装置における放射性有機ヨウ素の高い捕集性能を維持することができる。この放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００３７】
活性炭素繊維から形成されたシートが繊維不織布、織物、編み物のうちのいずれかの形態を有する放射性有機ヨウ素除去装置は、シートが不織布の形態を有する場合、放射性有機ヨウ素除去フィルタの通気性や加工性が向上するとともに、フィルタにおける放射性有機ヨウ素の吸着速度を速くすることができ、装置における放射性有機ヨウ素の除去速度を速くすることができる。また、シートが織物または編み物の形態を有する場合、放射性有機ヨウ素除去フィルタの通気性や加工性が向上するとともに、フィルタの強度や柔軟性が高く、装置におけるフィルタの操作性を向上させることができる。この放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性有機ヨウ素を確実に捕集かつ除去することができる。
【００３８】
シートの全体が撥水性繊維不織布または疎水性繊維不織布に包被された放射性有機ヨウ素除去装置は、撥水性繊維不織布または疎水性繊維不織布によって水分が放射性有機ヨウ素除去フィルタに達することはなく、フィルタが水に濡れることによるフィルタの放射性有機ヨウ素除去性能の低下を防ぐことができ、装置における放射性有機ヨウ素除去性能の低下を防ぐことができる。この放射性有機ヨウ素除去装置は、放射性有機ヨウ素除去フィルタを通過する空気の通過速度が速くかつフィルタを通過する空気の流量が多く、単位時間当たりの空気の清浄処理量を多くすることができるのみならず、空気に含まれる放射性ヨウ素を確実に捕集かつ除去することができる。
【図面の簡単な説明】
【００３９】
【図１】一例として示す放射性有機ヨウ素除去装置の斜視図。
【図２】放射性有機ヨウ素除去装置の正面図。
【図３】放射性有機ヨウ素除去装置の背面図。
【図４】放射性有機ヨウ素除去装置の側面図。
【図５】放射性有機ヨウ素除去装置の側面図。
【図６】第１フィルタケースの斜視図。
【図７】図５の第１フィルタケースの正面図。
【図８】図５の第１フィルタケースの背面図。
【図９】図６のＸ１−Ｘ１線矢視断面図。
【図１０】図８の部分拡大図。
【図１１】縦板部材の一部を破断して示す第１フィルタケースの側面図。
【図１２】フィルタの部分拡大図。
【図１３】積層シートの部分拡大図。
【図１４】一例として示す第１補強部材を設置したフィルタケースの背面図。
【図１５】放射性有機ヨウ素除去効率の試験装置を示す図。
【図１６】他の一例として示すフィルタを収容したフィルタケースの正面図。
【図１７】図１５のＸ２−Ｘ２線矢視断面図。
【図１８】シートの部分拡大図。
【図１９】耐圧試験におけるフィルタの変化状態を示す概略図。
【図２０】空気の流れを示す放射性有機ヨウ素除去装置の概略側面図。
【図２１】他の一例として示す放射性有機ヨウ素除去装置の背面図。
【図２２】空気の流れを示す図２１の放射性有機ヨウ素除去装置の概略側面図。
【図２３】ＨＥＰＡフィルタを収容した第２フィルタケースの斜視図。
【図２４】他の一例として示す放射性有機ヨウ素除去装置の背面図。
【図２５】空気の流れを示す図２４の放射性有機ヨウ素除去装置の概略側面図。
【発明を実施するための形態】
【００４０】
一例として示す放射性有機ヨウ素除去装置の斜視図である図１等の添付の図面を参照し、本発明にかかる放射性有機ヨウ素除去装置の詳細を説明すると、以下のとおりである。なお、図２は、放射性有機ヨウ素除去装置１０Ａの正面図であり、図３は、放射性有機ヨウ素除去装置１０Ａの背面図である。図４は、コントロールボックス１７の側から示す放射性有機ヨウ素除去装置１０Ａの側面図であり、図５は、ファン１６の側から示す放射性有機ヨウ素除去装置１０Ａの側面図である。図３は、後部ハッチ３１を開いた状態にあり、収容スペース３０に第１フィルタケース１４が収容されている。図１では、上下方向を矢印Ａ、横方向を矢印Ｂで示し、前後方向を矢印Ｃで示す。
【００４１】
放射性有機ヨウ素除去装置１０Ａは、放射性有機ヨウ素が発生するおそれがある原子力関連施設や医療施設に設置され、それら施設の空気に含まれる放射性有機ヨウ素の除去に使用される。なお、原子力関連施設には、原子力発電所、中間貯蔵施設、再処理工場、ＭＯＸ燃料工場、高速増殖炉、高速増殖炉用燃料工場、高速増殖炉用再処理工場、高レベル放射性廃棄物最終処分施設等がある。放射性有機ヨウ素除去装置１０Ａは、架台１１と、架台１１の上に組み立てられたハウジング１２と、放射性有機ヨウ素除去フィルタ１３および第１フィルタケース１４と、空気加熱用ヒータ１５（加熱器）およびファン１６（送風機）と、コントロールボックス１７とから構成されている。
【００４２】
架台１１は、鉄やアルミニウム、合金等の金属柱から作られ、それら金属柱を接合した四角形に成型されている。架台１１には、装置１０Ａを移動させるためのキャスター１８が取り付けられている。ハウジング１２は、フロントハウジング１９およびリアハウジング２０と、排気ダクト２１とから形成されている。ハウジング１２では、上流側から下流側に向かってフロントハウジング１９、リアハウジング２０、排気ダクト２１の順で並んでいる。フロントハウジング１９やリアハウジング２０、排気ダクト２１は、鉄やアルミニウム、合金等の金属から作られている。
【００４３】
フロントハウジング１９は、前後方向へ長い中空の角柱状に成型され、架台１１の前後方向前方に設置されている。フロントハウジング１９の前端部２２には、清浄前の空気を取り入れる吸気口２３が開口している。フロントハウジング１９の内部には、吸気口２３から流入した空気が流れる空気流路２４が形成されている。なお、フロントハウジング１９の形状や大きさについて特に限定はなく、その形状や大きさを自由に変えることができる。
【００４４】
ヒータ１５は、フロントハウジング１９の中央部２５に取り付けられている。ヒータ１５は、角柱状のケーシング２６と、ケーシング２６の内部に設置されたヒータエレメント（図示せず）と、温度センサ（図示せず）とを有する。ヒータエレメントの内部には、電気によって発熱する発熱体が収容されている。ヒータ１５は、その内部を通る空気をヒータエレメントによって所定の温度に加熱する。温度センサは、ヒータ１５の空気出口に取り付けられ、インターフェイス（図示せず）を介してコントロールボックス１７に接続されている。温度センサは、ヒータ１５によって加熱された空気の温度を測定し、測定した温度をコントロールボックス１７に出力する。
【００４５】
リアハウジング２０は、上下方向へ長い中空の略角柱状に成型され、フロントハウジング１９の前後方向後方に設置されている。リアハウジング２０は、その前端部２７がフロントハウジング１９の後端部２８にパッキン（図示せず）を介して気密に接続されている。リアハウジング２０の内部には、フロントハウジング１９から流入した空気が流れる空気流路２９と、第１フィルタケース１４を収容する収容スペース３０とが形成されている。収容スペース３０には、そこに第１フィルタケース１４を着脱可能に固定するフィルタ支持ガイド（図示せず）が設置されている。リアハウジング２０には、収容スペース３０を開閉可能な後部ハッチ３１が取り付けられている。なお、リアハウジング２０の形状や大きさについて特に限定はなく、その形状や大きさを自由に変えることができる。放射性有機ヨウ素除去フィルタ１３を収容した第１フィルタケース１４は、フィルタ支持ガイドによって支持され、収容スペース３０に固定される。
【００４６】
後部ハッチ３１は、蝶番７１を介してリアハウジング２０に取り付けられている。蝶番７１を旋回中心として後部ハッチ３１を矢印で示す前後方向後方へ旋回させてハッチ３１を開け、収容スペース３０を開放することができる。逆に、蝶番７１を旋回中心として後部ハッチ３１を矢印で示す前後方向前方へ旋回させてハッチ３１を閉め、収容スペース３０を閉鎖することができる。後部ハッチ３１を閉めると、後部ハッチ３１とリアハウジング２０とが気密に密着する。後部ハッチ３１を閉めた後は、ハッチ３１とリアハウジング２０とが固定手段によって気密に連結される。固定手段の一例としては、リアハウジング２０の周縁に延びるフランジに形成された貫通孔と後部ハッチ３１の周縁に延びるフランジに形成された貫通孔とにビスを挿通し、そのビスにナットを嵌合させ、それらフランジどうしを締め付ける。
【００４７】
排気ダクト２１は、その前端部３２がリアハウジング２０の後端部３３にパッキン（図示せず）を介して気密に接続されている。排気ダクト２１の後端部３４には、清浄後の空気を給気する給気口３５が開口している。排気ダクト２１の中央部３６には、ファン１６（送風機）が取り付けられている。排気ダクト２１の内部には、リアハウジング２０から流入した空気が流れる空気流路３７が形成されている。ファン１６は、インターフェイス（図示せず）を介してコントロールボックス１７に接続されている。
【００４８】
コントロールボックス１７は、テンキーユニットやディスプレイ、スイッチ（図示せず）が附属するマイクロコンピュータであり、ヒータ１５の温度を設定温度に保持するとともに、ファン１６の回転数（出力）を設定された回転数に保持する。テンキーユニットの入力キーを介してヒータ１５の温度やファン１６の回転数を入力すると、コントロールボックス１７は、入力された温度でヒータ１５を運転するとともに、入力された回転数でファン１６を運転する。コントロールボックス１７は、温度センサから出力された測定温度と設定温度とを比較し、測定温度が設定温度になるようにヒータ１５の温度を調節する。
【００４９】
図６は、一例として示す放射性有機ヨウ素除去フィルタ１３Ａを収容した第１フィルタケース１４の斜視図であり、図７は、図６のフィルタケース１４の正面図である。図８は、図６のフィルタケース１４の背面図であり、図９は、図７のＸ１−Ｘ１線矢視断面図である。図１０は、図９の部分拡大図であり、図１１は、縦板部材４５（第２外枠部材）の一部を破断して示すフィルタケース１４の側面図である。図１２は、放射性有機ヨウ素除去フィルタ１３Ａの部分拡大図であり、図１３は、積層シート３９の部分拡大図である。図６〜図８では、縦方向を矢印Ａ、横方向を矢印Ｂで示し、前後方向を矢印Ｃ（図６のみ）で示す。図１１では、フィルタにおける空気の流れを矢印Ｓで示す。図１３では、セパレータ４２の図示を省略している。
【００５０】
放射性有機ヨウ素除去装置１０Ａに使用する放射性有機ヨウ素除去フィルタ１３Ａは、図１３に示すように、活性炭素繊維から形成されたシート３８であり、２枚のシート３８Ａとシート３８Ｂとをその厚み方向へ重ね合わせた積層シート３９から作られている。フィルタ１０Ａでは、図９に示すように、その積層シート３９が横方向（一方向）へ起伏を繰り返すようにジグザグ（蛇腹状）に折り畳まれている。フィルタ１０Ａは、横方向へジグザグに折り畳まれた状態で、第１フィルタケース１４の内側に着脱可能に収容されている。
【００５１】
シート３８は、繊維不織布、織物、編み物のうちのいずれかの形態を有し、シート３８毎にその全体が撥水処理を施した撥水性繊維不織布４０または疎水性繊維不織布４０に包被されている。積層シート３９では、一方のシート３８Ａに繊維不織布の形態のそれが使用され、他方のシート３８Ｂに織物または編み物の形態のそれが使用されている。ただし、積層シート３９では、一方および他方のシート３８Ａ，３８Ｂに繊維不織布の形態のそれが使用されていてもよく、一方および他方のシート３８Ａ，３８Ｂに織物または編み物の形態のそれが使用されていてもよい。なお、積層シート３９は、２枚のシート３８Ａ，３８Ｂを重ね合わせたそれに限らず、３枚以上のシート３８を重ね合わせたものを使用することもできる。
【００５２】
ジグザグに折り畳まれた積層シート３９の互いに対向する対向部分４１の間には、縦方向へ起伏を繰り返すように円弧を画くセパレータ４２が配置されており、それらセパレータ４２によって所定の空隙４３が形成されている。セパレータ４２は、アルミニウムやステンレス等の金属から作られているが、合成樹脂から作られていてもよい。活性炭素繊維は、有機繊維を焼成して炭化し、さらに高温で熱処理をして作られる。活性炭素繊維には、セルロース系やアクリル系、フェノール系、ピッチ系を使用することができる。活性炭素繊維には、その表面から厚み方向へ延びる複数のミクロポアが形成されている。
【００５３】
活性炭素繊維には、放射性有機ヨウ素を吸着するトリエチレンジアミンＣ６Ｈ１２Ｎ２（アミン類）が添着されている。活性炭素繊維の単位重量に対するトリエチレンジアミンＣ６Ｈ１２Ｎ２の添着量は、１０〜２０重量％の範囲、好ましくは、１２〜１８重量％の範囲、より好ましくは、１３〜１６重量％の範囲にある。積層シート３９では、放射性有機ヨウ素が活性炭素繊維のミクロポアに捕集されるとともに、放射性有機ヨウ素が活性炭素繊維に添着されたトリエチレンジアミンＣ６Ｈ１２Ｎ２に吸着される。
【００５４】
トリエチレンジアミンＣ６Ｈ１２Ｎ２の添着量が１０重量％未満では、トリエチレンジアミンＣ６Ｈ１２Ｎ２を活性炭素繊維の全域に添着させることができない場合があり、トリエチレンジアミンＣ６Ｈ１２Ｎ２を介して放射性有機ヨウ素を活性炭素繊維に十分に吸着させることができず、フィルタ１３Ａにおける放射性有機ヨウ素の除去性能が不十分になる場合がある。トリエチレンジアミンＣ６Ｈ１２Ｎ２の添着量が２０重量％を超過すると、トリエチレンジアミンＣ６Ｈ１２Ｎ２が活性炭素繊維のミクロポアを塞いでしまう場合があり、放射性有機ヨウ素をミクロポアにおいて捕集することができない場合がある。
【００５５】
なお、アミン類として、トリエチレンジアミンＣ６Ｈ１２Ｎ２が使用されているが、トリエチレンジアミンＣ６Ｈ１２Ｎ２の他に、１，４−ジアザ−２，２，２−ピシクロオクタン、Ｎ，Ｎ‘−ビス−（３−アミノプロピル）−ピペラジン、Ｎ，Ｎ−ジメチル−アミノエチルメタクリレート、Ｎ，Ｎ−ジメチルアミノプロピルアミン、３−アミノプロピルトリメトキシシラン、１，５−ジアザビシクロウンデセン、ポリ−３級−ブチルアミノエチルメタクリレート、ポリエチレンイミン、１，５−ジアザピシクロ〔４，３，０〕ノン−５−エン、１，５−ジアザピシクロ〔５，４，０〕ウンデ７−５−エン、２−メチル−１，４−ジアザピシクロ〔２，２，２〕オクタン、フェニルヒドラジン、２−シアノピリジン、ジイソプロピルアミン、トリメチルアミノエチルピペラジン、ヘキサメチレンテトラミン、メチルピロエチレンイミン、ポリアルキルポリアミンのうちの１種類のアミン類またはそれらの数種類を混合したアミン類を使用することもできる。
【００５６】
第１フィルタケース１４は、合板から作られ、その正面形状が四角形に成型されている。フィルタケース１４は、合板の他に、金属（鉄板やアルミニウム板、ステンレス板等）や合成樹脂から作られていてもよい。フィルタケース１４は、縦方向へ離間対向して横方向へ延びる平面形状矩形の一対の横板部材４４（第１外枠部材）と、横方向へ離間対向して縦方向へ延びる平面形状矩形の一対の縦板部材４５（第２外枠部材）とから作られている。横板部材４４には、横方向へ延びる止め板部材４６が取り付けられている。
【００５７】
第１フィルタケース１４では、横板部材４４の端部と縦板部材４５の端部とが固定手段（ビスや接着剤等）を介して固定されている。フィルタケース１４には、その正面側に空気流入口４７が画成され、その背面側に空気流出口４８が画成されている。フィルタケース１４の空気流入口４７の側には、ジグザグに折り畳まれた積層シート３９の第１折曲部分４９が位置し、フィルタケース１４の空気流出口４８の側には、ジグザグに折り畳まれた積層シート３９の第２折曲部分５０が位置している。なお、セパレータ４２は、積層シート３９の対向部分４１の間において第１折曲部分４９の内側から第２折曲部分５０に向かって延びているとともに、対向部分４１の間において第２折曲部分５０の内側から第１折曲部分４９に向かって延びている。
【００５８】
第１フィルタケース１４には、フィルタ１３Ａの変形を防止する第１〜第３補強部材５１〜５３が取り付けられている。第１補強部材５１は、細長い角柱状の合板であり、図８示すように、２本のそれがフィルタケース１４の空気流出口４８の側に配置されている。それら第１補強部材５１は、横板部材４４の間に位置し、縦方向へ所定寸法離間して横方向へ延びている。それら第１補強部材５１は、それらの横方向両端部が縦板部材４５に固定手段（ビスや接着剤等）を介して固定されている。フィルタケース１４には、３本以上の第１補強部材５１が取り付けられていてもよい。
【００５９】
第２補強部材５２は、縦方向へ長い平面形状矩形の合板であり、図１０に示すように、ジグザグに折り畳まれた積層シート３９の互いに対向する対向部分４１の間であって横板部材４４の中央部に配置されている。第２補強部材５２は、空気流入口４７の側に位置する積層シート３９の第１折曲部分４９の内側から第１補強部材５１に向かって延びている。第２補強部材５２は、その縦方向両端部が横板部材４４に固定手段（ビスや接着剤等）を介して固定されている。第１フィルタケース１４には、２本以上の第２補強部材５２が取り付けられていてもよい。
【００６０】
第３補強部材５３は、細長い角柱状の合板であり、図７示すように、第１フィルタケース１４の空気流入口４７の側に配置され、横板部材４４の間に位置して横方向へ延びている。第３補強部材５３は、その横方向両端部が縦板部材４５に固定手段（ビスや接着剤等）を介して固定されている。第１フィルタケース１４には、２本以上の第３補強部材５３が取り付けられていてもよい。第１〜第３補強部材５１〜５３は、合板の他に、金属（鉄板やアルミニウム板、ステンレス板等）や合成樹脂から作られていてもよい。
【００６１】
第１フィルタケース１４の縦横方向の長さ寸法Ｌ１，Ｌ２および前後方向の長さ寸法Ｌ３の一例としては、縦方向の長さ寸法Ｌ１が６１０ｍｍ、横方向の長さ寸法Ｌ２が６１０ｍｍであり、前後方向の長さ寸法Ｌ３が１４０ｍｍである。フィルタケース１４は、縦横方向の長さ寸法Ｌ１，Ｌ２（空気流入口４７（空気流出口４８）の規格化された面積：６１０×６１０）において、空気流入口４７から流入させる空気の風量が２８〜３２ｍ３／ｍｉｎの範囲の場合、その前後方向の長さ寸法Ｌ３が１４０ｍｍに決まる。換言すれば、ジグザグに折り畳まれた積層シート３９の空気流入口４７の側に位置する第１折曲部分４９から空気流出口４８の側に位置する第２折曲部分５０までの長さ寸法Ｌ４（図１０参照）が１１０〜１３０ｍｍに決まる。
【００６２】
また、第１フィルタケース１４の縦横方向の長さ寸法Ｌ１，Ｌ２および前後方向の長さ寸法Ｌ３の他の一例としては、縦方向の長さ寸法Ｌ１が６１０ｍｍ、横方向の長さ寸法Ｌ２が６１０ｍｍであり、前後方向の長さ寸法Ｌ３が２９４ｍｍである。フィルタケース１４は、縦横方向の長さ寸法Ｌ１，Ｌ２（空気流入口４７（空気流出口４８）の規格化された面積：６１０×６１０）において、空気流入口４７から流入させる空気の風量が４０〜６０ｍ３／ｍｉｎの範囲の場合、その前後方向の長さ寸法Ｌ３が２９４ｍｍに決まる。換言すれば、ジグザグに折り畳まれた積層シート３９の空気流入口４７の側に位置する第１折曲部分４９から空気流出口４８の側に位置する第２折曲部分５０までの寸法Ｌ４が２６４〜２８４ｍｍに決まる。
【００６３】
したがって、フィルタ１３Ａでは、第１フィルタケース１４の空気流入口４７（空気流出口４８）の面積を一定とした場合、空気流入口４７に流入させる空気の風量により、ジグザグに折り畳まれた積層シート３９の空気流入口４７の側に位置する第１折曲部分４９から空気流出口４８の側に位置する第２折曲部分５０までの長さ寸法Ｌ４が決定する。このフィルタ１３Ａは、フィルタケース１４の空気流入口４７の面積を一定に維持しつつ、その空気流入口４７から流入させる空気の風量によってシート３９の第１折曲部分４９から第２折曲部分５０までの長さ寸法Ｌ４を決めることができ、空気流入口４７の面積を規格のそれに維持しつつ、その規格内においてフィルタ１３Ａにおける風量を自由に選択することができ、単位時間当たりの空気の清浄処理量を自由に決めることができる。
【００６４】
図１４は、一例として示す第１補強部材５１を設置したフィルタケース１４の背面図である。このフィルタケース１４が図１のそれと異なるところは、第１補強部材５１として筋交い構造が採用されている点にあり、その他の構成は図６のフィルタケース１４のそれらと同一である。第１補強部材５１は、細長い角柱状の合板であり、２本のそれが第１フィルタケース１４の空気流出口４８の側に配置されている。それら第１補強部材５１は、横板部材４４と縦板部材４５とが交差するフィルタケース１４の一方の角部から斜め他方の角部に向かって延びている。それら第１補強部材５１は、それらの両端部がフィルタケース１４の角部に固定手段（ビスや接着剤等）を介して固定されている。
【００６５】
図１５は、放射性有機ヨウ素除去効率の試験装置５４を示す図である。放射性有機ヨウ素除去フィルタ１３Ａでは、その面速が１０〜２５ｃｍ／ｓｅｃの範囲、好ましくは、１５〜２０ｃｍ／ｓｅｃの範囲にあり、空気の湿度９５％における放射性有機ヨウ素除去効率が９５％以上、好ましくは９７％以上、より好ましくは９９．９９９％以上である。面速が１０ｃｍ／ｓｅｃ未満では、単位時間当たりの空気の清浄処理量を多くすることができない。面速が２５ｃｍ／ｓｅｃを超過すると、フィルタ１３Ａを通過する空気の速度が速すぎてフィルタ１３Ａが放射性有機ヨウ素を捕集することができない場合がある。空気の湿度９５％における放射性有機ヨウ素除去効率が９５％未満では、空気に含まれる放射性有機ヨウ素を確実に除去することができない場合がある。
【００６６】
フィルタ１３Ａにおける放射性有機ヨウ素除去効率は、図１５の試験装置５４を利用し、その測定結果に基づいて割り出した。試験装置５４は、ボンベ５５、ガス流量計５６、光音響ガスモニタ５７（ガス濃度測定装置）、フィルタカートリッジ５８、空気流量計５９、吸気ポンプ６０から形成されている。ボンベ５５やガス流量計５６、光音響ガスモニタ５７、フィルタカートリッジ５８、空気流量計５９、吸気ポンプ６０は、管路６１を介して接続されている。フィルタカートリッジ５８の上流側の管路６０と下流側に管路６０とには、バイパス管路６２が接続されている。なお、管路６０には、フィルタカートリッジ５８への空気の流入とバイパス管路６２への空気の流入とを切り替える切替バルブ（図示せず）が設置されている。
【００６７】
ボンベ５５には、管路６１に供給するヨウ化メチルガスが収容されている。フィルタカートリッジ５８には、試験用フィルタ６３が着脱可能に固定される。光音響ガスモニタ５７は、フィルタカートリッジ５８の上流側の管路６０および下流側に管路６０に接続されている。光音響ガスモニタ５７は、管路６０に流れる空気に含まれるヨウ化メチルの濃度を連続的に測定する。試験用フィルタ６３の仕様は、トリエチレンジアミンＣ６Ｈ１２Ｎ２の添着量が１５．９重量％、目付が２０９ｇ／ｍ２、厚み寸法が３ｍ、比表面積が１４００〜１４５０、重量が０．３８ｇである。
【００６８】
試験手順は、以下のとおりである。試験用フィルタ６３をフィルタカートリッジ５８に固定し、吸気ポンプ６０および光音響ガスモニタ５７を稼動させ、空気流量計５９の測定値を確認しつつ、所定流量（面速（１０〜２５ｃｍ／ｓｅｃ）を流量に換算した場合の流量）の空気を管路６０に流し、フィルタカートリッジ５８の下流側に延びる管路６０の露点の変化を監視した。露点測定値が設定した値（空気湿度９５％）の場合、切替バルブを介してフィルタカートリッジ５８への空気の流入を停止し、バイパス管路６２に一定流量の空気を流した。次に、ガス流量計５６の測定値を確認しつつ、ボンベ５５から一定量のヨウ化メチルガスを管路６０に供給し、光音響ガスモニタ５７を介して空気に含まれるヨウ化メチルガスの濃度が一定の濃度であることを確認した。
【００６９】
ヨウ化メチルガスの濃度が一定の濃度である場合、切替バルブを介してバイパス管路６２への空気の流入を停止し、フィルタカートリッジ５８に一定流量の空気を流し、光音響ガスモニタ５７を介してヨウ化メチルガスの濃度を連続して測定した。光音響ガスモニタ５７を利用し、フィルタカートリッジ５８の上流側の管路６０から空気をサンプリングしてその空気に含まれるヨウ化メチルの濃度を測定するとともに、フィルタカートリッジ５８の下流側の管路６０から空気をサンプリングしてその空気に含まれるヨウ化メチルの濃度を測定した。
【００７０】
ヨウ化メチルガスの濃度測定は、フィルタカートリッジ５８の下流側の濃度測定値がカートリッジ５８の上流側の濃度測定値の１／３に達するまで継続した。ヨウ化メチル除去効率（放射性有機ヨウ素除去効率）は、以下の式によって算出した。η＝（Ｃ１−Ｃ２）／Ｃ１×１００、ここで、ηはヨウ化メチル除去効率（放射性有機ヨウ素除去効率）（％）、Ｃ１はカートリッジ５８の上流側の空気に含まれるヨウ化メチルの濃度（ｐｐｍ）、Ｃ２はカートリッジ５８の下流側の空気に含まれるヨウ化メチルの濃度（ｐｐｍ）である。試験結果として、ヨウ化メチル除去効率（放射性有機ヨウ素除去効率）は、９９％以上を示した。なお、試験用フィルタ６３ではヨウ化メチル除去効率（放射性有機ヨウ素除去効率）９９％以上を示したが、それから割り出したフィルタ１３Ａの放射性有機ヨウ素除去効率として９５％以上を最低効率とし、９９．９９９％以上を最高効率とする。
【００７１】
放射性有機ヨウ素除去フィルタ１３Ａでは、２枚のシート３８を重ね合わせた積層シート３９の横方向（一方向）への折り曲げ回数がフィルタ１３Ａの一方向の長さ１００ｍｍに対して８〜９回の範囲にある。折り曲げ回数が８回未満では、フィルタ１３Ａに必要な吸着面積を確保することができず、放射性有機ヨウ素の捕集性能が低下する場合がある。折り曲げ回数が９回を超過すると、積層シート３９が密に重なり合い、フィルタ１３Ａの面速が低下し、単位時間当たりの空気の清浄処理量を多くすることができない。積層シート３９の横方向への折り曲げ回数が前記範囲にあるから、フィルタ１３Ａにおける面速を速くすることができ、単位時間当たりの空気の清浄処理量を多くすることができるとともに、フィルタ１３Ａに必要な吸着面積を確保することができ、放射性有機ヨウ素の高い捕集性能を維持することができる。
【００７２】
図１６は、他の一例として示す放射性有機ヨウ素除去フィルタ１３Ｂを収容したフィルタケース１４の正面図であり、図１７は、図１６のＸ２−Ｘ２線矢視断面図である。図１８は、シート３８の部分拡大図である。図１６，１７では、縦方向を矢印Ａ（図１６のみ）、横方向を矢印Ｂで示し、前後方向を矢印Ｃ（図１７のみ）で示す。このフィルタ１３Ｂが図６のそれと異なるところはフィルタ１３Ｂが１枚のシート３８を横方向（一方向）へジグザグに折り畳むことから作られている点にあり、その他の構成は図６のフィルタ１３Ａのそれらと同一であるから、図６と同一の符号を付すとともに、図６のフィルタ１３Ａの説明を援用することで、このフィルタ１３Ｂにおけるその他の構成の説明は省略する。
【００７３】
この放射性有機ヨウ素除去フィルタ１３Ｂは、図１８に示すように、活性炭素繊維から形成された１枚のシート３８から作られている。フィルタ１３Ｂでは、そのシート３８が横方向（一方向）へ起伏を繰り返すようにジグザグ（蛇腹状）に折り畳まれている。フィルタ１３Ｂは、横方向へジグザグに折り畳まれた状態で、第１フィルタケース１４の内側に着脱可能に収容されている。シート３８は、繊維不織布、織物、編み物のうちのいずれかの形態を有し、シート３８毎にその全体が撥水処理を施した撥水性繊維不織布４０または疎水性繊維不織布に包被されている。
【００７４】
ジグザグに折り畳まれたシート３８の互いに対向する対向部分４１の間には、縦方向へ起伏を繰り返すように円弧を画くセパレータ４２が配置されており、それらセパレータ４２によって所定の空隙４３が形成されている（図１２援用）。活性炭素繊維には、放射性有機ヨウ素を吸着するトリエチレンジアミンＣ６Ｈ１２Ｎ２（アミン類）が添着されている。活性炭素繊維の単位重量に対するトリエチレンジアミンＣ６Ｈ１２Ｎ２の添着量は、１０〜２０重量％の範囲、好ましくは、１２〜１８重量％の範囲、より好ましくは、１３〜１６重量％の範囲にある。なお、アミン類としてトリエチレンジアミンＣ６Ｈ１２Ｎ２の他に、図６のフィルタ１３Ａの活性炭素繊維に添着可能な前記アミン類のうちの１種類またはそれらの数種類を混合したアミン類を使用することもできる。
【００７５】
第１フィルタケース１４や第１〜第３補強部材５１〜５３は図６のフィルタ１３Ａのそれらと同一であるから、それらの説明は省略する。なお、第１補強部材５１として、図１４の筋交い構造を採用することもできる。第１フィルタケース１４の縦横方向の長さ寸法Ｌ１，Ｌ２および前後方向の長さ寸法Ｌ３は、図６のフィルタ１３Ａのそれらと同一である。
【００７６】
フィルタ１３Ｂでは、第１フィルタケース１４の空気流入口４７（空気流出口４８）の面積を一定とした場合、空気流入口４７に流入させる空気の風量により、フィルタケース１４の前後方向の長さ寸法Ｌ３やジグザグに折り畳まれたシート３８の空気流入口４７の側に位置する第１折曲部分４９から空気流出口４８の側に位置する第２折曲部分５０までの長さ寸法Ｌ４が決定する。このフィルタ１３Ｂは、第１フィルタケース１４の空気流入口４７（空気流出口４８）の面積を一定に維持しつつ、その空気流入口４７から流入させる空気の風量によってシート３８の第１折曲部分４９から第２折曲部分５０までの長さ寸法Ｌ４を決めることができ、空気流入口４７（空気流出口４８）の面積を規格のそれに維持しつつ、その規格内においてフィルタ１３Ｂにおける風量を自由に選択することができ、単位時間当たりの空気の清浄処理量を自由に決めることができる。
【００７７】
フィルタ１３Ｂでは、その面速が１０〜２５ｃｍ／ｓｅｃの範囲、好ましくは、１５〜２０ｃｍ／ｓｅｃの範囲にある。フィルタ１３Ｂは、図５のフィルタ１３Ａと同様に、試験装置５４を使用して計算した試験用フィルタ６３のヨウ化メチル除去効率（放射性有機ヨウ素除去効率）から割り出した放射性有機ヨウ素除去効率が９５％以上、好ましくは９７％以上、より好ましくは９９．９９９％以上である（空気の湿度９５％）。面速が１０ｃｍ／ｓｅｃ未満では、単位時間当たりの空気の清浄処理量を多くすることができない。面速が２５ｃｍ／ｓｅｃを超過すると、フィルタ１３Ｂを通過する空気の速度が速すぎてフィルタ１３Ｂが放射性有機ヨウ素を捕集することができない場合がある。空気の湿度９５％における放射性有機ヨウ素除去効率が９５％未満では、空気に含まれる放射性有機ヨウ素を確実に除去することができない場合がある。
【００７８】
フィルタ１３Ｂでは、シート３８の横方向（一方向）への折り曲げ回数がフィルタ１３Ｂの一方向の長さ１００ｍｍに対して１６〜１８回の範囲にある。折り曲げ回数が１６回未満では、フィルタ１３Ｂに必要な吸着面積を確保することができず、放射性有機ヨウ素の捕集性能が低下する場合がある。折り曲げ回数が１８回を超過すると、シート３８が密に重なり合い、フィルタ１３Ｂの面速が低下し、単位時間当たりの空気の清浄処理量を多くすることができない。シート３８の横方向への折り曲げ回数が前記範囲にあるから、フィルタ１３Ｂにおける面速を速くすることができ、単位時間当たりの空気の清浄処理量を多くすることができるとともに、フィルタ１３Ｂに必要な吸着面積を確保することができ、放射性有機ヨウ素の高い捕集性能を維持することができる。
【００７９】
図１９は、耐圧試験におけるフィルタ１３Ａ，１３Ｂの変化の状態を示す概念図である。それらフィルタ１３Ａ，１３Ｂは、耐圧試験後のフィルタ１３Ａ，１３Ｂの変形量が０〜１．０ｍｍであった。また、耐圧試験後のフィルタ１３Ａ，１３Ｂのヨウ化メチルガス除去効率の測定は、図１４の試験装置５４を利用した。耐圧試験後のフィルタ１３Ａ，１３Ｂは、試験装置５４を使用して計算したヨウ化メチル除去効率（放射性有機ヨウ素除去効率）から割り出した放射性有機ヨウ素除去効率が９５％以上、好ましくは９７％以上、より好ましくは９９．９９９％以上であり（空気の湿度９５％）、耐圧試験前のヨウ化メチルガス除去効率（放射性有機ヨウ素除去効率）と同様の効率を示した。なお、図１９に示すように、空気が矢印Ｓ方向へ流入し、フィルタ１３Ａ，１３Ｂを変形させる力（風圧）が作用したとしても、第１〜第３補強部材５１〜５３（筋交い構造を含む）によってフィルタ１３Ａ，１３Ｂの変形（破損や損壊を含む）が阻止される。
【００８０】
フィルタ１３Ａ，１３Ｂの耐圧試験は、フィルタ１３Ａ，１３Ｂ（第１フィルタケース１４に収容したフィルタ１３Ａ，１３Ｂ）をダクトに設置し、ファン（送風機）を稼動させてそのフィルタ１３Ａ，１３Ｂに空気を流入させた実際の使用状態において測定した。フィルタ１３Ａ，１３Ｂにおける圧力損失が１０００Ｐａになるように空気の風量を調節し、１時間そのままの状態で放置した。１時間経過後に空気の供給を停止し、ダクトからフィルタ１３Ａ，１３Ｂを取り外して試験前後のフィルタ１３Ａ，１３Ｂの変形やヨウ化メチルガス除去効率（放射性有機ヨウ素除去効率）を測定した。
【００８１】
それらフィルタ１３Ａ，１３Ｂは、面速１０〜２５ｃｍ／ｓｅｃにおけるその圧力損失が１００〜３００Ｐａの範囲、好ましくは、２００〜２５０Ｐａの範囲にある。フィルタ１３Ａ，１３Ｂの圧力損失は、フィルタ１３Ａ，１３Ｂ（第１フィルタケース１４に収容したフィルタ１３Ａ，１３Ｂ）をダクトに設置し、ファン（送風機）を稼動させてそのフィルタ１３Ａ，１３Ｂに空気を流入させた実際の使用状態において測定した。定格風量の略１３０％まで、風量を段階的に変化させ、そのときのフィルタ１３Ａ，１３Ｂの圧力損失を測定した。
【００８２】
圧力損失が３００Ｐａを超過すると、フィルタ１３Ａ，１３Ｂを通過する空気の通過速度が遅くかつフィルタ１３Ａ，１３Ｂを通過する空気の流量が少なくなり、単位時間当たりの空気の清浄処理量を多くすることができない。圧力損失が１００Ｐａ未満では、フィルタ１３Ａ，１３Ｂを通過する空気の通過速度が速すぎてフィルタ１３Ａ，１３Ｂが放射性有機ヨウ素を捕集することができない場合がある。
【００８３】
それらフィルタ１３Ａ，１３Ｂでは、活性炭素繊維の平均繊維径が１０〜１８μｍの範囲、好ましくは、１２〜１６μｍの範囲にある。平均繊維径が１８μｍを超過すると、活性炭素繊維の幾何学的な表面積が相対的に少なくなるため、特許請求の範囲に規定されたフィルタ１３Ａ，１３Ｂにおける放射性有機ヨウ素の除去効率が得られなくなる場合がある。繊維径が１０μｍ未満では、シート３８の通気性が低下し、フィルタ１３Ａ，１３Ｂの圧力損失が増加してフィルタ１３Ａ，１３Ｂの面速が低下する。
【００８４】
それらフィルタ１３Ａ，１３Ｂでは、シート１１（１枚）の目付が１００〜３５０ｇ／ｍ２の範囲、好ましくは、１５０〜３００ｇ／ｍ２の範囲、より好ましくは、１８０〜２７０ｇ／ｍ２の範囲にある。また、シート１１（１枚）のみかけの嵩密度が０．０３〜０．１３ｇ／ｃｍ３の範囲、好ましくは、０．０５〜０．０１１ｇ／ｃｍ３の範囲にある。シート３８の目付が１００ｇ／ｍ２未満であって、シート３８のみかけの嵩密度が０．０３ｇ／ｃｍ３未満では、シート３８の強度が弱く、シート３８がその形態を維持することができない場合がある。シート３８の目付が３５０ｇ／ｍ２を超過するとともに、シート３８のみかけの嵩密度が０．１３ｇ／ｃｍ３を超過すると、シート３８の通気性が低下し、フィルタ１３Ａ，１３Ｂの圧力損失が増加してフィルタ１３Ａ，１３Ｂの面速が低下する。また、シート３８の厚み寸法が必要に大きくなり、シート３８の柔軟性が低下するのみならず、フィルタ１３Ａ，１３Ｂ全体の寸法をコンパクトにすることができないとともに、単位体積当たりのフィルタ１３Ａ，１３Ｂの重量を少なくすることができない。
【００８５】
活性炭素繊維の平均繊維径やシート３８の目付、シート３８のみかけの嵩密度が前記範囲にあるから、シート３８を横方向へジグザグに折り畳むことによって作られたフィルタ１３Ａ，１３Ｂ全体の寸法をコンパクトにすることができるとともに、単位体積当たりのフィルタ１３Ａ，１３Ｂの重量を少なくすることができ、フィルタ１３Ａ，１３Ｂが嵩張ることはなく、その持ち運びや設置、取り外しを容易に行うことができる。また、フィルタ１３Ａ，１３Ｂ全体の寸法をコンパクトにすることができることによって、装置１０Ａ自体をコンパクトにすることができる。
【００８６】
それらフィルタ１３Ａ，１３Ｂでは、シート３８の厚み寸法Ｌ５が２〜４ｍｍの範囲（積層シート３９の場合は、４〜８ｍｍの範囲）、好ましくは、３ｍｍ（積層シート３９の場合は、６ｍｍ）である（図１３，図１８参照）。シート３８の厚み寸法Ｌ５が２ｍｍ未満では、シート３８の強度が弱く、シート３８がその形態を維持することができない場合がある。シート３８の厚み寸法Ｌ５が４ｍｍを超過すると、シート３８の通気性が低下し、フィルタ１３Ａ，１３Ｂの圧力損失が増加してフィルタ１３Ａ，１３Ｂの面速が低下する。また、シート３８の厚み寸法Ｌ５が必要以上に大きくなり、シート３８の柔軟性が低下するのみならず、フィルタ１３Ａ，１３Ｂ全体の寸法をコンパクトにすることができないとともに、単位体積当たりのフィルタ１３Ａ，１３Ｂの重量を少なくすることができない。
【００８７】
フィルタ１３Ａ，１３Ｂは、シート３８の厚み寸法Ｌ５が前記範囲にあるから、シート３８（積層シート３９を含む）を横方向へジグザグに折り畳むことによって作られたフィルタ１３Ａ，１３Ｂ全体の寸法をコンパクトにすることができるとともに、単位体積当たりのフィルタ１３Ａ，１３Ｂの重量を少なくすることができ、フィルタ１３Ａ，１３Ｂが嵩張ることはなく、その持ち運びや設置、取り外しを容易に行うことができる。また、フィルタ１３Ａ，１３Ｂ全体の寸法をコンパクトにすることができることによって、装置１０Ａ自体をコンパクトにすることができる。
【００８８】
図２０は、空気の流れを示す放射性有機ヨウ素除去装置１０Ａの概略側面図である。図２０では、第１フィルタケース１４（放射性有機ヨウ素除去フィルタ１３Ａ，１３Ｂ）を点線で示し、空気の流れを示す矢印Ｓで示す。放射性有機ヨウ素除去装置１０Ａでは、フロントハウジング１９の空気流路２４とリアハウジング２０の空気流路２９と排気ダクト２１の空気流路３７とがつながっている。空気は、ファン１６によって強制的にフロントハウジング１９の吸気口２３に流入し、フロントハウジング１９の空気流路２４からフィルタ１３Ａ（またはフィルタ１３Ｂ）を通流しつつリアハウジング２０の空気流路２９を通るとともに、リアハウジング２０の空気流路２９から排気ダクト２１の空気流路３７を通り、ダクト２１の給気口３５から流出する。
【００８９】
放射性有機ヨウ素除去装置１０Ａの運転手順の一例は、以下のとおりである。後部ハッチ３１とリアハウジング２０との固定を解除した後、ハッチ３１を前後方向後方へ旋回させてハッチ３１を開け、収容スペース３０を開放する。後部ハッチ３１を開けた後、フィルタ支持ガイドを介して第１フィルタケース１４をリアハウジング２０の収容スペース３０に固定し、ケース１４をスペース３０に設置する。なお、第１フィルタケース１４には、図６または図１６のいずれかのフィルタ１３Ａ，１３Ｂがセットされている。
【００９０】
第１フィルタケース１４を収容スペース３０に設置すると、ケース１４の空気流入口４７がフロントハウジング１９の後端部２８に対向し、ケース１４の空気流出口４８が後部ハッチ３１に対向する。第１フィルタケース１４を収容スペース３０に設置した後、後部ハッチ３１を前後方向前方へ旋回させてハッチ３１を閉め、収容スペース３０を閉鎖し、ハッチ３１とリアハウジング２０とを固定手段によって気密に連結する。架台１１に取り付けられたキャスター１８によって、原子力関連施設や医療施設のうちの放射性有機ヨウ素が発生するおそれがある箇所に装置を移動させた後、キャスター１８をロックし、装置１０Ａをその箇所に固定する。
【００９１】
次に、コントロールボックス１７のスイッチを入れる。スイッチを入れると、ディスプレイにヒータ１５の設定温度とファン１６の回転数（出力）とが表示されるとともに、空気清浄実行ボタン、空気清浄中止ボタン、装置停止ボタンが表示される（図示せず）。ヒータ１５の設定温度を変更する場合、テンキーユニットの入力キーを操作して新たな設定温度を入力する。また、ファン１６の回転数を変更する場合、入力キーを操作して新たな回転数を入力する。ファン１６の回転数は、風量２８〜６０ｍ３／ｍｉｎの範囲で変更することができる。ヒータ１５の設定温度やファン１６の回転数に変更がなく、または、設定温度や回転数を変更した後、空気清浄実行ボタンを押す。
【００９２】
空気清浄実行ボタンを押すと、ヒータ１５およびファン１６が稼動する。なお、空気清浄中止ボタンを押すと、ヒータ１５およびファン１６が停止する。装置停止ボタンを押すと、スイッチがＯＦＦとなり、装置１０Ａが停止する。施設内の空気は、ファン１６によって強制的に装置１０Ａに吸気される。空気は、フロントハウジング１９の吸気口２３からハウジング１９に流入した後、ハウジング１９の空気流路２４を通ってヒータ１５に流入する。空気は、ヒータ１５のヒータエレメントによって設定温度に加熱され、それに含まれる湿気が蒸発し、その湿度が低下する。
【００９３】
所定温度に加熱された空気は、フロントハウジング１９の後端部２８からリアハウジング２０に流入する。なお、リアハウジング２０の前端部２７（フロントハウジング１９の後端部２８）には、第１フィルタケース１４の空気流入口４７が位置しており、所定温度に加熱された空気が空気流入口４７を通ってフィルタ１３Ａ（またはフィルタ１３Ｂ）に流入し、フィルタ１３Ａ（またはフィルタ１３Ｂ）を通流した後、ケース１４の空気流出口４８から流出する。空気に放射性有機ヨウ素が含まれている場合、その放射性有機ヨウ素が活性炭素繊維のミクロポアに捕集されるとともに、活性炭素繊維に添着されたトリエチレンジアミンＣ６Ｈ１２Ｎ２に吸着され、空気が清浄される。フィルタ１３Ａ（またはフィルタ１３Ｂ）から流出した空気は、リアハウジング２０の空気流路２９を通って排気ダクト２１の空気流路３７に流入し、ダクト２１の空気流路３８を通ってダクト２１の給気口３５から施設内に戻される。
【００９４】
温度センサは、ヒータ１５から流出した空気の温度を測定し、その測定温度をコントロールボックス１７に出力する。コントロールボックス１７は、空気の温度が設定温度から外れると、空気の温度を設定温度に戻すように、ヒータ１５の温度を調節するフィードバック制御を行う。なお、ファン１６の稼働中にその回転数を変更することもできる。テンキーユニットの入力キーを操作して新たな回転数を入力すると、コントロールボックス１７は、インバータ制御を行ってファン１６の回転数を入力された回転数に変更する。
【００９５】
放射性有機ヨウ素除去装置１０Ａは、放射性有機ヨウ素を吸着するトリエチレンジアミンＣ６Ｈ１２Ｎ２（アミン類）が活性炭素繊維に添着されており、放射性有機ヨウ素除去フィルタ１３Ａ，１３Ｂの面速が１０〜２５ｃｍ／ｓｅｃの範囲、空気の湿度９５％におけるフィルタ１３Ａ，１３Ｂの放射性有機ヨウ素除去効率が９５％以上、好ましくは９７％以上、より好ましくは９９．９９９％以上であるから、空気の高湿度環境下において優れた放射性有機ヨウ素除去性能を発揮するとともに、フィルタ１３Ａ，１３Ｂにおける空気の通過速度が速くかつフィルタ１３Ａ，１３Ｂを通過する空気の流量が多く、装置１０Ａにおける単位時間当たりの空気の清浄処理量を多くすることができるのみならず、空気に含まれる放射性有機ヨウ素を確実に捕集かつ除去することができ、放射性有機ヨウ素を除去した清浄な空気を作ることができる。
【００９６】
放射性有機ヨウ素除去装置１０Ａは、ヒータ１５によって空気を所定温度に加熱することで空気に含まれる湿気を蒸発させることができ、空気に湿気が含まれていることによる放射性有機ヨウ素除去フィルタ１３Ａ，１３Ｂの放射性有機ヨウ素除去効率の低下を防ぐことができる。放射性有機ヨウ素除去装置１０Ａは、放射性有機ヨウ素が発生するおそれがある原子力関連施設や医療施設に使用することで、それら施設から発生する放射性有機ヨウ素を確実に除去することができ、それら施設の安全性を確保することができる。
【００９７】
図２１は、他の一例として示す放射性有機ヨウ素除去装置１０Ｂの背面図であり、図２２は、空気の流れを示す図２１の放射性有機ヨウ素除去装置１０Ｂの概略側面図である。図２３は、ＨＥＰＡフィルタ６５を収容した第２フィルタケース６４の斜視図である。図２１は、後部ハッチ３１を開いた状態にあり、第１および第２収容スペース３０Ａ，３０Ｂに第１および第２フィルタケース１４，６４が収容されている。図２２では、第１および第２フィルタケース１４，６４（フィルタ１３Ａ，１３Ｂ，６５）を点線で示し、空気の流れを示す矢印Ｓで示す。図２３では、縦方向を矢印Ａ、横方向を矢印Ｂで示し、前後方向を矢印Ｃで示す。
【００９８】
この放射性有機ヨウ素除去装置１０Ｂが図１のそれと異なるところは、リアハウジング２０の上下方向下方（上流側）に多風量のＨＥＰＡフィルタ６５が配置されている点にある。この放射性有機ヨウ素除去装置１０Ｂにおけるその他の構成は図１の装置１０Ａと同一であるから、図１と同一の符号を付すとともに、図１の説明を援用することで、この装置１０Ｂにおけるその他の構成の説明は省略する。なお、第１フィルタケース１４に着脱可能に設置される放射性有機ヨウ素除去フィルタには、図６または図１６のいずれかのフィルタ１３Ａ，１３Ｂが使用されている。
【００９９】
リアハウジング２０の内部には、フロントハウジング１９から流入した空気の空気流路２９と、第１および第２フィルタケース１４，６４を収容する収容スペース３０とが形成されている。収容スペース３０は、第１収容スペース３０Ａと、第１収容スペース３０Ａの上下方向上方に位置する第２収容スペース３０Ｂとに区分されている。第１および第２収容スペース３０Ａ，３０Ｂには、そこにフィルタケース１４，６４を着脱可能に固定するフィルタ支持ガイド（図示せず）が設置されている。
【０１００】
放射性有機ヨウ素除去フィルタ１３Ａ（またはフィルタ１３Ｂ）を収容した第１フィルタケース１４は、フィルタ支持ガイドによって支持され、第２収容スペース３０Ｂに固定される。ＨＥＰＡフィルタ６５を収容した第２フィルタケース６４は、フィルタ支持ガイドによって支持され、第１収容スペース３０Ａに固定される。したがって、この放射性有機ヨウ素除去装置１０Ｂでは、第１フィルタケース１４が第２フィルタケース６４の上下方向上方（下流側）に設置され、放射性有機ヨウ素除去フィルタ１３Ａ（またはフィルタ１３Ｂ）がＨＥＰＡフィルタ６５の上下方向上方（下流側）に配置される。なお、ＨＥＰＡフィルタ６５は、空気中の微細粒子を含む塵埃を９９．９７％以上の効率で捕集する。
【０１０１】
ＨＥＰＡフィルタ６５を収容する第２フィルタケース６４は、合板から作られ、その正面形状が四角形に成型されている。第２フィルタケース６４は、合板の他に、金属（鉄板やアルミニウム板、ステンレス板等）や合成樹脂から作られていてもよい。第２フィルタケース６４は、縦方向へ離間対向して横方向へ延びる平面形状矩形の一対の横板部材６６（第３外枠部材）と、横方向へ離間対向して縦方向へ延びる平面形状矩形の一対の縦板部材６７（第４外枠部材）とから作られている。
【０１０２】
第２フィルタケース６４では、横板部材６６の端部と縦板部材６７の端部とが固定手段（ビスや接着剤等）を介して固定されている。第２フィルタケース６４には、その正面側に空気流入口６８が画成され、その背面側に空気流出口６９が画成されている。第２フィルタケース６４の縦横方向の長さ寸法Ｌ６，Ｌ７は、フィルタ１３Ａ，１３Ｂを収容した第１フィルタケース１４のそれらと同一であり、フィルタケース６４の空気流入口６８（空気流出口６９）の面積は、フィルタケース１４のそれと同一である。フィルタケース６４の前後方向の長さ寸法Ｌ８は、第１フィルタケース１４のそれよりも短い。
【０１０３】
後部ハッチ３１には、横方向へ等間隔離間して上下方向へ延びる２枚の案内板７０が取り付けられている。案内板７０の上下方向の長さ寸法は、収容スペース３０の上下方向の長さ寸法と略同一である。案内板７０の前後方向の長さ寸法は、後部ハッチ３１を閉めたときに、案内板７０の端縁が第１フィルタケース１４の空気流入口４７に当接するとともに、案内板７０の端縁が第２フィルタケース６４の空気流出口６９に当接する長さに調節されている。
【０１０４】
この放射性有機ヨウ素除去装置１０Ｂの運転手順の一例は、以下のとおりである。後部ハッチ３１とリアハウジング２０との固定を解除した後、ハッチ３１を前後方向後方へ旋回させてハッチ３１を開け、第１および第２収容スペース３０Ａ，３０Ｂを開放する。後部ハッチ３１を開けた後、フィルタ支持ガイドを介して第１フィルタケース１４をリアハウジング２０の第２収容スペース３０Ｂに固定し、ケース１４をスペース３０Ｂに設置するとともに、フィルタ支持ガイドを介して第２フィルタケース６４をリアハウジング２０の第１収容スペース３０Ａに固定し、ケース６４をスペース３０Ａに設置する。なお、第１フィルタケース１４には、図６または図１６のいずれかの放射性有機ヨウ素除去フィルタ１３Ａ（またはフィルタ１３Ｂ）がセットされ、第２フィルタケース６４には、ＨＥＰＡフィルタ６５がセットされている。
【０１０５】
第１フィルタケース１４を第２収容スペース３０Ｂに設置すると、ケース１４の空気流入口４７が後部ハッチ３１に対向し、ケース１４の空気流出口４８が排気ダクト２１の前端部３２に対向する。第２フィルタケース６４を第１収容スペース３０Ａに設置すると、ケース６４の空気流入口６８がフロントハウジング１９の後端部２８に対向し、ケース６４の空気流出口６９が後部ハッチ３１に対向する。それらフィルタケース１４，６４を各収容スペース３０Ａ，３０Ｂに設置した後、後部ハッチ３１を前後方向前方へ旋回させてハッチ３１を閉め、第１および第２収容スペース３０Ａ，３０Ｂを閉鎖し、ハッチ３１とリアハウジング２０とを固定手段によって気密に連結する。
【０１０６】
ハッチ３１を閉めると、案内板７０の端縁が第１フィルタケース１４の空気流入口４７に当接するとともに、案内板７０の端縁が第２フィルタケース６４の空気流出口６９に当接する。リアハウジング２０の空気流路２９は、それら案内板７０によって横方向へ３分割される。架台１１に取り付けられたキャスター１８によって、原子力関連施設や医療施設のうちの放射性有機ヨウ素が発生するおそれがある箇所に装置１０Ｂを移動させた後、キャスター１８をロックし、装置１０Ｂをその箇所に固定する。
【０１０７】
次に、コントロールボックス１７のスイッチを入れる。スイッチを入れると、ディスプレイにヒータ１５の設定温度とファン１６の回転数（出力）とが表示されるとともに、空気清浄実行ボタン、空気清浄中止ボタン、装置停止ボタンが表示される（図示せず）。ヒータ１５の設定温度やファン１６の回転数に変更がなく、または、設定温度や回転数を変更した後、空気清浄実行ボタンを押す。空気清浄実行ボタンを押すと、ヒータ１５およびファン１６が稼動する。施設内の空気は、ファン１６によって強制的に装置１０Ｂに吸気される。空気は、フロントハウジング１９の吸気口２３からハウジング１９に流入した後、ハウジング１９の空気流路２４を通ってヒータ１５に流入する。空気は、ヒータ１５のヒータエレメントによって設定温度に加熱され、それに含まれる湿気が蒸発し、その湿度が低下する。
【０１０８】
所定温度に加熱された空気は、フロントハウジング１９の後端部２８からリアハウジング２０に流入する。なお、リアハウジング２０の前端部２７（フロントハウジング１９の後端部２８）には、第２フィルタケース６４の空気流入口６８が位置しており、所定温度に加熱された空気が空気流入口６８を通ってＨＥＰＡフィルタ６５に流入し、フィルタ６５を通流した後、フィルタケース６４の空気流出口６９から流出する。空気に塵埃が含まれていると、その塵埃がＨＥＰＡフィルタ６５に捕集され、空気中の塵埃が取り除かれる。
【０１０９】
第２フィルタケース６４の空気流出口６９から流出した空気は、案内板７０によって横方向へ３分割されたリアハウジング２０の空気流路２９を通って第１フィルタケース１４の空気流入口４７に流入し、空気流入口４７を通って放射性有機ヨウ素除去フィルタ１３Ａ（またはフィルタ１３Ｂ）に流入し、フィルタ１３Ａ（またはフィルタ１３Ｂ）を通流した後、フィルタケース１４の空気流出口４８から流出する。案内板７０は、第１収納スペース３０Ａに位置するＨＥＰＡフィルタ６５（上下方向下方に位置するフィルタ）から第２収納スペース３０Ｂに位置する放射性有機ヨウ素除去フィルタ１３Ａ（またはフィルタ１３Ｂ）（上下方向上方に位置するフィルタ）の全域へ空気を導く。
【０１１０】
フィルタ１３Ａ（またはフィルタ１３Ｂ）を通流した空気に放射性有機ヨウ素が含まれている場合、その放射性有機ヨウ素が活性炭素繊維のミクロポアに捕集されるとともに、活性炭素繊維に添着されたトリエチレンジアミンＣ６Ｈ１２Ｎ２に吸着され、空気が清浄される。フィルタ１３Ａ（またはフィルタ１３Ｂ）から流出した空気は、第１フィルタケース１４の空気流出口４８から排気ダクト２１の空気流路３７に流入し、ダクト２１の空気流路３７を通ってダクト２１の給気口３５から施設内に戻される。
【０１１１】
図２１の放射性有機ヨウ素除去装置１０Ｂは、図１の装置１０Ａが有する効果に加え、以下の効果を有する。放射性有機ヨウ素除去装置１０Ｂは、空気に含まれる塵埃を除去する多風量のＨＥＰＡフィルタ６５が放射性有機ヨウ素除去フィルタ１３Ａ，１３Ｂの上下方向下方（上流側）に配置され、ＨＥＰＡフィルタ６５によって空気中の塵埃が除去されるから、塵埃が放射性有機ヨウ素除去フィルタ１３Ａ，１３Ｂに達することはなく、塵埃が放射性有機ヨウ素除去フィルタ１３Ａ，１３Ｂに堆積することによるフィルタ１３Ａ，１３Ｂの放射性有機ヨウ素除去性能の低下を防ぐことができる。この放射性有機ヨウ素除去装置１０Ｂは、空気中の塵埃を除去することができるとともに、空気に含まれる放射性有機ヨウ素を確実に捕集かつ除去することができ、塵埃や放射性有機ヨウ素を除去した清浄な空気を作ることができる。
【０１１２】
この放射性有機ヨウ素除去装置１０Ｂは、案内板７０によって空気が第１収納スペース３０Ａに位置するＨＥＰＡフィルタ６５から第２収納スペース３０Ｂに位置する放射性有機ヨウ素除去フィルタ１３Ａ，１３Ｂの全域へ導かれるから、空気が放射性有機ヨウ素除去フィルタ１３Ａ，１３Ｂへ偏って流入することはなく、放射性有機ヨウ素除去フィルタ１３Ａ，１３Ｂの全域を空気の清浄に利用することができ、空気を単位時間内に効率よく清浄することができる。放射性有機ヨウ素除去装置１０Ｂは、ＨＥＰＡフィルタ６５が多風量のそれであるから、ＨＥＰＡフィルタ６５によって放射性有機ヨウ素除去フィルタ１３Ａ，１３Ｂの面速が低下することはなく、フィルタ１３Ａ，１３Ｂにおける空気の通過速度を速くすることができ、単位時間当たりの空気の清浄処理量を多くすることができる。放射性有機ヨウ素除去装置１０Ｂは、放射性有機ヨウ素除去フィルタ１３Ａ，１３ＢとＨＥＰＡフィルタ６５とが上下方向へ並ぶから、それらフィルタ１３Ａ，１３Ｂ，６５を前後方向へ並べる場合と比較し、装置１０Ｂの前後方向の寸法を小さくすることができ、装置１０Ｂをコンパクト化することができる。
【０１１３】
図２４は、他の一例として示す放射性有機ヨウ素除去装置１０Ｂの背面図であり、図２５は、空気の流れを示す図２４の放射性有機ヨウ素除去装置１０Ｂの概略側面図である。図２４は、後部ハッチ３１を開いた状態にあり、第１および第２収容スペース３０Ａ，３０Ｂに第１および第２フィルタケース１４，６４が収容されている。図２５では、第１および第２フィルタケース１４，６４（フィルタ１３Ａ，１３Ｂ，６５）を点線で示し、空気の流れを示す矢印Ｓで示す。
【０１１４】
この放射性有機ヨウ素除去装置１０Ｂが図１や図２１のそれと異なるところは、リアハウジング２０の上下方向下方（下流側）に放射性有機ヨウ素除去フィルタ１３Ａ（またはフィルタ１３Ｂ）が配置され、リアハウジングの上下方向上方（下流側）に多風量のＨＥＰＡフィルタ６５が配置されている点にある。この放射性有機ヨウ素除去装置１０Ｂにおけるその他の構成は図１や図２１の装置１０Ａ，１０Ｂと同一であるから、それら図と同一の符号を付すとともに、それら図の説明を援用することで、この装置１０Ｂにおけるその他の構成の説明は省略する。なお、第１フィルタケース１４に着脱可能に設置される放射性有機ヨウ素除去フィルタには、図６または図１６のいずれかのフィルタ１３Ａ，１３Ｂが使用されている。
【０１１５】
放射性有機ヨウ素除去フィルタ１３Ａ（またはフィルタ１３Ｂ）を収容した第１フィルタケース１４は、フィルタ支持ガイドによって支持され、第１収容スペース３０Ａに固定される。ＨＥＰＡフィルタ６５を収容した第２フィルタケース６４は、フィルタ支持ガイドによって支持され、第２収容スペース３０Ｂに固定される。したがって、この放射性有機ヨウ素除去装置１０Ｂでは、第１フィルタケース１４が第２フィルタケース６４の上下方向下方（上流側）に設置され、放射性有機ヨウ素除去フィルタ１３Ａ（またはフィルタ１３Ｂ）がＨＥＰＡフィルタ６５の上下方向下方（上流側）に配置される。ＨＥＰＡフィルタ６５を収容する第２フィルタケース６４は、図２３のそれと同一である。後部ハッチ３１には、図２１の装置１０Ｂと同様に、横方向へ等間隔離間して上下方向へ延びる２枚の案内板７０が取り付けられている。
【０１１６】
この放射性有機ヨウ素除去装置１０Ｂの運転手順の一例は、以下のとおりである。後部ハッチ３１とリアハウジング２０との固定を解除した後、ハッチ３１を前後方向後方へ旋回させてハッチ３１を開け、第１および第２収容スペース３０Ａ，３０Ｂを開放する。後部ハッチ３１を開けた後、フィルタ支持ガイドを介して第１フィルタケース１４をリアハウジング２０の第１収容スペース３０Ａに固定し、ケース１４をスペース３０Ａに設置するとともに、フィルタ支持ガイドを介して第２フィルタケース６４をリアハウジング２０の第２収容スペース３０Ｂに固定し、ケース６４をスペース３０Ｂに設置する。なお、第１フィルタケース１４には、図６または図１６のいずれかの放射性有機ヨウ素除去フィルタ１３Ａ（またはフィルタ１３Ｂ）がセットされ、第２フィルタケース６４には、図２３のＨＥＰＡフィルタ６５がセットされている。
【０１１７】
第１フィルタケース１４を第１収容スペース３０Ａに設置すると、ケース１４の空気流入口４７がフロントハウジング１９の後端部２８に対向し、ケース１４の空気流出口４８が後部ハッチ３１に対向する。第２フィルタケース６４を第２収容スペース３０Ｂに設置すると、ケース６４の空気流入口６８が後部ハッチ３１に対向し、ケース６４の空気流出口６９が排気ダクト２１の前端部３２に対向する。それらフィルタケース１４，６４を各収容スペース３０Ａ，３０Ｂに設置した後、後部ハッチ３１を前後方向前方へ旋回させてハッチ３１を閉め、第１および第２収容スペース３０Ａ，３０Ｂを閉鎖し、ハッチ３１とリアハウジング２０とを固定手段によって気密に連結する。
【０１１８】
ハッチ３１を閉めると、案内板７０の端縁が第１フィルタケース１４の空気流入口４７に当接するとともに、案内板７０の端縁が第２フィルタケース６４の空気流出口６９に当接する。リアハウジング２０の空気流路２９は、それら案内板７０によって横方向へ３分割される。架台１１に取り付けられたキャスター１８によって、原子力関連施設や医療施設のうちの放射性有機ヨウ素が発生するおそれがある箇所に装置１０Ｂを移動させた後、キャスター１８をロックし、装置１０Ｂをその箇所に固定する。
【０１１９】
次に、コントロールボックス１７のスイッチを入れる。スイッチを入れると、ディスプレイにヒータ１５の設定温度とファン１６の回転数（出力）とが表示されるとともに、空気清浄実行ボタン、空気清浄中止ボタン、装置停止ボタンが表示される（図示せず）。空気清浄実行ボタンを押すと、ヒータ１５およびファン１６が稼動する。施設内の空気は、ファン１６によって強制的に装置１０Ｂに吸気される。空気は、フロントハウジング１９の吸気口２３からハウジング１９に流入した後、ハウジング１９の空気流路２４を通ってヒータ１５に流入する。空気は、ヒータ１５のヒータエレメントによって設定温度に加熱され、それに含まれる湿気が蒸発し、その湿度が低下する。
【０１２０】
所定温度に加熱された空気は、フロントハウジング１９の後端部２８からリアハウジング２０に流入する。なお、リアハウジング２０の前端部２７（フロントハウジング１９の後端部２８）には、第１フィルタケース１４の空気流入口４７が位置しており、所定温度に加熱された空気が空気流入口４７を通って放射性有機ヨウ素除去フィルタ１３Ａ（またはフィルタ１３Ｂ）に流入し、フィルタ１３Ａ（またはフィルタ１３Ｂ）を通流した後、フィルタケース１４の空気流出口４８から流出する。空気に放射性有機ヨウ素が含まれていると、その放射性有機ヨウ素が活性炭素繊維のミクロポアに捕集されるとともに、活性炭素繊維に添着されたトリエチレンジアミンＣ６Ｈ１２Ｎ２に吸着される。
【０１２１】
第１フィルタケース１４の空気流出口４８から流出した空気は、案内板７０によって横方向へ３分割されたリアハウジング２０の空気流路２９を通って第２フィルタケース６４の空気流入口６８に流入し、空気流入口６８を通ってＨＥＰＡフィルタ６５に流入し、フィルタ６５を通流した後、フィルタケース６４の空気流出口６９から流出する。案内板７０は、第１収納スペース３０Ａに位置する放射性有機ヨウ素除去フィルタ１３Ａ（またはフィルタ１３Ｂ）（上下方向下方に位置するフィルタ）から第２収納スペース３０Ｂに位置するＨＥＰＡフィルタ６５（上下方向上方に位置するフィルタ）の全域へ空気を導く。
【０１２２】
放射性有機ヨウ素フィルタ１３Ａ（またはフィルタ１３Ｂ）を通流した空気に塵埃が含まれている場合、その塵埃がＨＥＰＡフィルタ６５に捕集され、空気中の塵埃が取り除かれ、空気が清浄される。フィルタ６５から流出した空気は、第２フィルタケース６４の空気流出口６９から排気ダクト２１の空気流路３７に流入し、ダクト２１の空気流路３７を通ってダクト２１の給気口３５から施設内に戻される。
【０１２３】
図２４の放射性有機ヨウ素除去装置１０Ｂは、図１の装置１０Ａが有する効果に加え、以下の効果を有する。放射性有機ヨウ素除去装置１０Ｂは、空気に含まれる塵埃を除去する多風量のＨＥＰＡフィルタ６５が放射性有機ヨウ素除去フィルタ１３Ａ，１３Ｂの上下方向上方（上流側）に配置され、放射性有機ヨウ素除去フィルタ１３Ａ，１３Ｂから塵埃が放出されたとしても、その塵埃がＨＥＰＡフィルタ６５によって除去されるから、放射性有機ヨウ素除去フィルタ１３Ａ，１３Ｂから放出された塵埃を確実に除去することができる。この放射性有機ヨウ素除去装置１０Ｂは、空気に含まれる放射性有機ヨウ素を確実に捕集かつ除去することができるとともに、放射性有機ヨウ素除去フィルタ１３Ａ，１３Ｂから放出された塵埃を除去することができ、放射性有機ヨウ素や塵埃を除去した清浄な空気を作ることができる。
【０１２４】
この放射性有機ヨウ素除去装置１０Ｂは、案内板７０によって空気が第１収納スペース３０Ａに位置する放射性有機ヨウ素除去フィルタ１３Ａ，１３Ｂから第２収納スペース３０Ｂに位置するＨＥＰＡフィルタ６５の全域へ導かれるから、空気がＨＥＰＡフィルタ６５へ偏って流入することはなく、ＨＥＰＡフィルタ６５の全域を塵埃の除去に利用することができ、空気を単位時間内に効率よく清浄することができる。放射性有機ヨウ素除去装置１０Ｂは、ＨＥＰＡフィルタ６５が多風量のそれであるから、ＨＥＰＡフィルタ６５によって放射性有機ヨウ素除去フィルタ１３Ａ，１３Ｂの面速が低下することはなく、フィルタ１３Ａ，１３Ｂにおける空気の通過速度を速くすることができ、単位時間当たりの空気の清浄処理量を多くすることができる。放射性有機ヨウ素除去装置１０Ｂは、放射性有機ヨウ素除去フィルタ１３Ａ，１３ＢとＨＥＰＡフィルタ６５とが上下方向へ並ぶから、それらフィルタ１３Ａ，１３Ｂ，６５を前後方向へ並べる場合と比較し、装置１０Ｂの前後方向の寸法を小さくすることができ、装置１０Ｂをコンパクト化することができる。
【符号の説明】
【０１２５】
１０Ａ  放射性有機ヨウ素除去装置
１０Ｂ  放射性有機ヨウ素除去装置
１３    放射性有機ヨウ素除去フィルタ
１３Ａ  放射性有機ヨウ素除去フィルタ
１３Ｂ  放射性有機ヨウ素除去フィルタ
１４    第１フィルタケース
１５    ヒータ（加熱器）
１６    ファン（送風機）
１７    コントロールボックス
３０    収納スペース
３０Ａ  第１収納スペース
３０Ｂ  第２収納スペース
３１    後部ハッチ
３８    シート
３９    積層シート
４０    撥水性繊維不織布または疎水性繊維不織布
４１    対向部分
４２    セパレータ
４３    空隙
４４    横板部材（第１外枠部材）
４５    縦板部材（第２外枠部材）
４７    空気流入口
４８    空気流出口
４９    第１折曲部分
５０    第２折曲部分
５１    第１補強部材
５２    第２補強部材
６４    第２フィルタケース
６５    ＨＥＰＡフィルタ
６６    横板部材（第３外枠部材）
６７    縦板部材（第４外枠部材）
６８    空気流入口
６９    空気流出口
７０    案内板
【図１】
0005591598.tif 000002
【図２】
0005591598.tif 000003
【図３】
0005591598.tif 000004
【図４】
0005591598.tif 000005
【図５】
0005591598.tif 000006
【図６】
0005591598.tif 000007
【図７】
0005591598.tif 000008
【図８】
0005591598.tif 000009
【図９】
0005591598.tif 000010
【図１０】
0005591598.tif 000011
【図１１】
0005591598.tif 000012
【図１２】
0005591598.tif 000013
【図１３】
0005591598.tif 000014
【図１４】
0005591598.tif 000015
【図１５】
0005591598.tif 000016
【図１６】
0005591598.tif 000017
【図１７】
0005591598.tif 000018
【図１８】
0005591598.tif 000019
【図１９】
0005591598.tif 000020
【図２０】
0005591598.tif 000021
【図２１】
0005591598.tif 000022
【図２２】
0005591598.tif 000023
【図２３】
0005591598.tif 000024
【図２４】
0005591598.tif 000025
【図２５】
0005591598.tif 000026